(57)【要約】【課題】  本発明は、老人や女性等の握力がない人でも古新聞や古雑誌、袋口部、引越用荷物、宅配梱包物を結束するために、紙紐等の結束紐で完全な結び目を形成することができる結束補助具を提供することを目的とする。【解決手段】  本発明の結束補助具は、柄部１の先端に箆（へら）部２を設け、該箆部２の先端にレ字状の細溝３を形成したものである。前記柄部１は、プラスチック製の片手で握ることができる太さで、略円柱形に形成される。前記箆（へら）部２は、同様にプラスチック製で前記柄部１よりやや幅広い平坦にした上下面４を形成し、先端から柄部方向に前記上下面４を貫通したレ字状の細溝３を形成する。なお、前記柄部１の後端に設けた円孔は、未使用時に吊り下げておくための吊下げ用の孔５である。【選択図】  図１
2006273392.tif 000002
【特許請求の範囲】
【請求項１】
プラスチック製の片手で握ることができる太さで、略円柱形に形成される柄部の先端に、プラスチック製で前記柄部よりやや幅広い平坦にした上下面を形成した箆部を設け、該箆部の先端から柄部方向に前記上下面を貫通したレ字状の細溝を形成したことを特徴とする結束補助具。
【発明の詳細な説明】
【技術分野】
【０００１】
本発明は、老人や女性等の握力がない人が古新聞や古雑誌、袋口部、引越用荷物、宅配梱包物を結束するために使用する結束補助具に関する。
【背景技術】
【０００２】
従来、紙紐等の結束紐で古新聞や古雑誌、袋口部、引越用荷物、宅配梱包物を結束するためには結び目を形成しなければならないが、老人や女性等の握力がない人は指の力が弱いため結び目を形成することが出来なかったり、出来ても結び目が弱くて直ぐに解（ほど）けたりした。
そのために、古新聞や古雑誌、袋口部を結束するために結束機を使用することが行なわれているが、普通の家庭ではそれも出来ないことが多い。
そこで、普通の家庭でも出来るようにした結束道具が公知となっている（特許文献１を参照）。
前記公知技術は、魚の形をした柄の先端に回転するフックを取り付けたもので、結束するものに紐を一回りさせ、紐の端を１５ｃｍ位出して反対側の紐も１５ｃｍ位のところを一緒に持ち３ｃｍ位の先をフックに掛け、紐を手に持ったままフックを廻して紐を捩り、完全に塊が出来た時点でフックを紐から外し、余った紐をカットするものである。
しかし、前記公知技術は完全な結び目を形成するものでないため、結束が解ける危険性があった。
【特許文献１】実用新案登録第３１０５８１９号公報
【発明の開示】
【発明が解決しようとする課題】
【０００３】
そこで、本発明は、老人や女性等の握力がない人でも古新聞や古雑誌、袋口部、引越用荷物、宅配梱包物を結束するために、紙紐等の結束紐で完全な結び目を形成することができる結束補助具を提供することを目的とする。
【課題を解決するための手段】
【０００４】
本発明の結束補助具は、プラスチック製の片手で握ることができる太さで、略円柱形に形成される柄部の先端に、プラスチック製で前記柄部よりやや幅広い平坦にした上下面を形成した箆部を設け、該箆部の先端から柄部方向に前記上下面を貫通したレ字状の細溝を形成したものである。
【発明の効果】
【０００５】
本発明の結束補助具は、柄部の先端に箆部を設け、該箆部の先端にレ字状の細溝を形成した簡単な構造であるため、簡易に製造できると共に取扱いが容易であり、老人や女性等の握力がない人でも古新聞や古雑誌、袋口部、引越用荷物、宅配梱包物を簡単に結束することが出来る。
【発明を実施するための最良の形態】
【０００６】
本発明の結束補助具の一実施例を図面に基づいて、以下に説明する。
図１は、本発明の結束補助具の全体斜視図であり、柄部１の先端に箆（へら）部２を設け、該箆部２の先端にレ字状の細溝３を形成したものである。
前記柄部１は、プラスチック製の片手で握ることができる太さで、略円柱形に形成される。
前記箆（へら）部２は、同様にプラスチック製で前記柄部１よりやや幅広い平坦にした上下面４を形成し、先端から柄部方向に前記上下面４を貫通したレ字状の細溝３を形成する。
なお、前記柄部１の後端に設けた円孔は、未使用時に吊り下げておくための吊下げ用の孔５である。
【０００７】
次に、本発明の結束補助具を古新聞や古雑誌等の結束物品に使用する場合の使用動作を図面に基づいて、以下に説明する。
まず、あらかじめ古新聞や古雑誌等の結束する結束物品に合わせて紙紐等の結束紐の長さを２重巻長さに調節する。
すなわち、図２に示すように、結束紐６を中央部から２つ折にして一方に輪７を形成し他方を自由端８とする。
そして、図３に示すように、２つ折り結束紐６を結束物品９に一廻りさせ、前記輪７に前記自由端８を通す。
前記輪７に通した前記自由端８を反対側に折り返して引き、図４に示すように結束物品９に結束紐６を締め付ける。
【０００８】
次に、図５に示すように、本発明の結束補助具の箆部２を一廻りさせた結束紐６と前記自由端８との間を通す。
すなわち、前記箆部２の上下面４の上面側を一廻りさせた結束紐６とし、上下面４の下面側を前記自由端８となるように突き通し、前記箆部２の先端の細溝３を反対側に位置させる。
その後、図６に示すように、前記自由端８を結束紐６の上に渡し、前記上下面４の下方側から前記細溝３に引っ掛け、前記細溝３の奥まで引き込む。
なお、前記細溝３に結束紐６を引っ掛ける際には、柄部１を下方に動かすと前記箆部２の先端が上がり、前記細溝３に結束紐６を引っ掛け易い。
【０００９】
そして、結束紐６が弛まないように前記自由端８を軽く押さえながら本発明の結束補助具を引き抜くと、図７に示すように結び目１０が形成される。
前記結び目１０が形成されたら、前記細溝３から結束紐６を外すと、図８に示すように結び目１０が形成された結束物品９ができ上がる。
【００１０】
次に、本発明の結束補助具を結束袋に使用する場合の使用動作を図面に基づいて、以下に説明する。
図９に示すように、２つ折り結束紐６を結束袋１１の開口部に一廻りさせ、前記輪７に前記自由端８を通す。
前記輪７に通した前記自由端８を図１０に矢印で示すように反対側に折り返して引き、結束袋１１に結束紐６を締め付ける。
図１１に示すように折り返した側に、本発明の結束補助具を結束袋１１本体側に箆部２を向けて添え、図１２に示すように結束袋１１と共に結束紐６を一巻きし、上下面４の下方側から前記細溝３に引っ掛け、前記細溝３の奥まで引き込む。
そして、結束紐６が弛まないように前記自由端８を軽く押さえながら図１３に示すように本発明の結束補助具を引き抜くと、結び目１０が形成される。
前記結び目１０が形成されたら、前記細溝３から結束紐６を外すと、図１４に示すように結び目１０が形成された結束袋１１ができ上がる。
【図面の簡単な説明】
【００１１】
【図１】本発明の結束補助具の全体斜視図である。
【図２】結束紐の基本型を示す斜視図である。
【図３】結束物品の結束動作１を示す斜視図である。
【図４】結束物品の結束動作２を示す斜視図である。
【図５】結束物品の結束動作３を示す斜視図である。
【図６】結束物品の結束動作４を示す斜視図である。
【図７】結束物品の結束動作５を示す斜視図である。
【図８】完成された結束物品を示す斜視図である。
【図９】結束袋の結束動作１を示す斜視図である。
【図１０】結束袋の結束動作２を示す斜視図である。
【図１１】結束袋の結束動作３を示す斜視図である。
【図１２】結束袋の結束動作４を示す斜視図である。
【図１３】結束袋の結束動作５を示す斜視図である。
【図１４】完成された結束袋を示す斜視図である。
【符号の説明】
【００１２】
１  柄部
２  箆（へら）部
３  細溝
４  上下面
５  孔
６  結束紐
７  輪
８  自由端
９  結束物品
１０  結び目
１１  結束袋
【図１】
2006273392.tif 000003
【図２】
2006273392.tif 000004
【図３】
2006273392.tif 000005
【図４】
2006273392.tif 000006
【図５】
2006273392.tif 000007
【図６】
2006273392.tif 000008
【図７】
2006273392.tif 000009
【図８】
2006273392.tif 000010
【図９】
2006273392.tif 000011
【図１０】
2006273392.tif 000012
【図１１】
2006273392.tif 000013
【図１２】
2006273392.tif 000014
【図１３】
2006273392.tif 000015
【図１４】
2006273392.tif 000016